(57)【要約】  第１の無線リンクを使用して、装置から複数のパケットを受信することと、第２の無線リンク中で使用する、複数のパケットに対するインデックスを再構築することと、複数のパケット中の各パケットが正しく受信されているかどうかを示す受信状態情報を決定することと、インデックスと受信状態情報とに基づいて、追加のパケットを受信することとを含む、ワイヤレス通信のための方法を提供する。方法を実行する装置も開示する。
2013511923.tif 000002
【特許請求の範囲】
【請求項１】
ワイヤレス通信のための方法において、
第１の無線リンクを使用して、装置から複数のパケットを受信することと、
第２の無線リンク中で使用する、前記複数のパケットに対するインデックスを再構築することと、
前記複数のパケット中の各パケットが正しく受信されているかどうかを示す受信状態情報を決定することと、
前記インデックスと前記受信状態情報とに基づいて、追加のパケットを受信することとを含む方法。
【請求項２】
前記インデックスは、前記第１の無線リンクの送信サイズに基づいている請求項１記載の方法。
【請求項３】
前記第１の無線リンクを使用する前記複数のパケットの受信は、単一の、第１の無線リンクフレームから前記複数のパケットを分解することを含む請求項１記載の方法。
【請求項４】
前記第１の無線リンクを使用する前記複数のパケットの受信は、第１の無線リンクプロトコルにしたがって、前記複数のパケットのカプセル化を取り除くことを含む請求項１記載の方法。
【請求項５】
前記複数のパケットの前記受信状態情報は、前記第２の無線リンクに関係付けられているＭＡＣレイヤにおいて記憶される請求項１記載の方法。
【請求項６】
前記ＭＡＣレイヤは、前記第１の無線リンクに関係付けられている請求項５記載の方法。
【請求項７】
前記複数のパケットの前記受信状態情報は、複数のビットを含むビットマップを含み、各ビットは、前記複数のパケット中のそれぞれのパケットの受信状態に関係付けられている請求項１記載の方法。
【請求項８】
前記決定は、期間内に、前記受信状態情報の受信の不在を検出することを含む請求項１記載の方法。
【請求項９】
前記決定は、前記受信状態情報が、しきい値を超える、前記複数のパケットの失敗した送信の数を示すのを検出することを含む請求項１記載の方法。
【請求項１０】
前記決定は、前記第２の無線リンクから前記受信状態情報を受信することを含む請求項１記載の方法。
【請求項１１】
前記追加のパケットのそれぞれは、前記複数のパケットのうちの、１つ以上のパケットを含む請求項１記載の方法。
【請求項１２】
前記受信状態情報の決定は、前記受信状態情報を含む送信状態情報メッセージを送信することを含み、前記追加のパケットの受信は、前記送信状態情報メッセージに起因して送信される前記追加のパケットに基づいて受信を継続することを含む請求項１記載の方法。
【請求項１３】
前記追加のパケットの受信は、前記第２の無線リンクを使用して、前記追加のパケットを受信することを含む請求項１記載の方法。
【請求項１４】
前記追加のパケットの受信は、規定されている期間、ＳＮＲ値、または、ＳＩＮＲ値、のうちの少なくとも１つに基づいている請求項１記載の方法。
【請求項１５】
前記追加のパケットの受信は、
レート適合プロセスを実行することと、
前記レート適合プロセスに基づいて、前記第２の無線リンクを使用して、前記装置から前記追加のパケットを受信することとを含む請求項１記載の方法。
【請求項１６】
前記第１の無線リンク中で受信されるパケットのブロックに対して、複数のＡＲＱ状態を維持することをさらに含み、前記パケットのブロック中のパケットの総数は、前記第２の無線リンクにしたがう現在のＡＲＱ窓のサイズを超える請求項１記載の方法。
【請求項１７】
前記第２の無線リンクは、ＡＲＱ窓のサイズおよびＡＲＱ状態を含み、
前記方法は、
前記第１の無線リンクを使用して、パケットの総数が前記ＡＲＱ窓のサイズを超える、パケットのブロックを受信することと、
前記第１の無線リンクにおける、前記パケットのブロックの確認された正しい受信に基づいて、前記ＡＲＱ状態を更新することとをさらに含む請求項１記載の方法。
【請求項１８】
前記更新されたＡＲＱ状態に基づいて、ドロップされて再送されたパケットを受信することをさらに含む請求項１７記載の方法。
【請求項１９】
前記第２の無線リンクを使用して、前記再送の任意の受信が実行される請求項１８記載の方法。
【請求項２０】
ワイヤレス通信のための装置において、
第１の無線リンクを使用して、装置から複数のパケットを受信するように構成されている受信機と、
第２の無線リンク中で使用する、前記複数のパケットに対するインデックスを再構築し、前記複数のパケット中の各パケットが正しく受信されているかどうかを示す受信状態情報を決定するように構成されている処理システムとを具備し、
前記受信機は、前記インデックスと前記受信状態情報とに基づいて、追加のパケットを受信するようにさらに構成されている装置。
【請求項２１】
前記インデックスは、前記第１の無線リンクの送信サイズに基づいている請求項２０記載の装置。
【請求項２２】
前記処理システムは、単一の、第２の無線リンクフレームから前記複数のパケットを分解するようにさらに構成されている請求項２０記載の装置。
【請求項２３】
前記処理システムは、第２の無線リンクプロトコルにしたがって、前記複数のパケットをカプセル化するようにさらに構成されている請求項２０記載の装置。
【請求項２４】
前記複数のパケットの前記受信状態情報は、前記第１の無線リンクに関係付けられているＭＡＣレイヤにおいて記憶される請求項２０記載の装置。
【請求項２５】
前記ＭＡＣレイヤは、前記第２の無線リンクに関係付けられている請求項２４記載の装置。
【請求項２６】
前記複数のパケットの前記受信状態情報は、複数のビットを含むビットマップを含み、各ビットは、前記複数のパケット中のそれぞれのパケットの受信状態に関係付けられている請求項２０記載の装置。
【請求項２７】
前記処理システムは、期間内に、前記受信状態情報の受信の不在を検出するようにさらに構成されている請求項２０記載の装置。
【請求項２８】
前記処理システムは、前記受信状態情報が、しきい値を超える、前記複数のパケットの失敗した受信の数を示すのを検出するようにさらに構成されている請求項２０記載の装置。
【請求項２９】
前記受信機は、前記第１の無線リンクから前記受信状態情報を受信するようにさらに構成されている請求項２０記載の装置。
【請求項３０】
前記追加のパケットのそれぞれは、前記複数のパケットのうちの、１つ以上のパケットを含む請求項２０記載の装置。
【請求項３１】
前記受信状態情報を含む送信状態情報メッセージを送信するように構成されている送信機をさらに具備し、
前記受信機は、前記送信状態情報メッセージに起因して送信される前記追加のパケットに基づいて受信を継続するように構成されている請求項２０記載の装置。
【請求項３２】
前記受信機は、前記第１の無線リンクを使用して、前記追加のパケットを受信するようにさらに構成されている請求項２０記載の装置。
【請求項３３】
前記追加のパケットの受信は、期間、ＳＮＲ値およびＳＩＮＲ値のうちの少なくとも１つに基づいている請求項２０記載の装置。
【請求項３４】
前記処理システムは、レート適合プロセスを実行するようにさらに構成されており、前記受信機は、前記レート適合プロセスに基づいて、前記第１の無線リンクを使用して、前記他の装置から前記追加のパケットを受信するようにさらに構成されている請求項２０記載の装置。
【請求項３５】
前記処理システムは、前記第２の無線リンク中で受信されるパケットのブロックに対して、複数のＡＲＱ状態を維持するようにさらに構成されており、前記パケットのブロック中のパケットの総数は、前記第１の無線リンクにしたがう現在のＡＲＱ窓のサイズを超える請求項２０記載の装置。
【請求項３６】
前記第１の無線リンクは、ＡＲＱ窓のサイズおよびＡＲＱ状態を含み、
前記処理システムは、前記第２の無線リンクを使用して、パケットの総数が前記ＡＲＱ窓のサイズを超える、パケットのブロックを受信し、前記第２の無線リンクにおける、前記パケットのブロックの確認された正しい受信に基づいて、前記ＡＲＱ状態を更新するようにさらに構成されている請求項２０記載の装置。
【請求項３７】
前記受信機は、前記更新されたＡＲＱ状態に基づいて、ドロップされて再送されたパケットを受信するようにさらに構成されている請求項３６記載の装置。
【請求項３８】
前記第１の無線リンクを使用して、前記再送の任意の受信が実行される請求項３７記載の装置。
【請求項３９】
ワイヤレス通信のための装置において、
第１の無線リンクを使用して、別の装置から複数のパケットを受信する手段と、
第２の無線リンク中で使用する、前記複数のパケットに対するインデックスを再構築する手段と、
前記複数のパケット中の各パケットが正しく受信されているかどうかを示す受信状態情報を決定する手段と、
前記インデックスと前記受信状態情報とに基づいて、追加のパケットを受信する手段とを具備する装置。
【請求項４０】
前記インデックスは、前記第１の無線リンクの送信サイズに基づいている請求項３９記載の装置。
【請求項４１】
前記第１の無線リンクを使用する前記複数のパケットの受信手段は、単一の、第１の無線リンクフレームから前記複数のパケットを分解する手段を備える請求項３９記載の装置。
【請求項４２】
前記第１の無線リンクを使用する前記複数のパケットの受信手段は、第１の無線リンクプロトコルにしたがって、前記複数のパケットのカプセル化を取り除く手段を備える請求項３９記載の装置。
【請求項４３】
前記複数のパケットの前記受信状態情報は、前記第２の無線リンクに関係付けられているＭＡＣレイヤにおいて記憶される請求項３９記載の装置。
【請求項４４】
前記ＭＡＣレイヤは、前記第１の無線リンクに関係付けられている請求項４３記載の装置。
【請求項４５】
前記複数のパケットの前記受信状態情報は、複数のビットを含むビットマップを含み、各ビットは、前記複数のパケット中のそれぞれのパケットの受信状態に関係付けられている請求項３９記載の装置。
【請求項４６】
前記決定手段は、期間内に、前記受信状態情報の受信の不在を検出する手段を備える請求項３９記載の装置。
【請求項４７】
前記決定手段は、前記受信状態情報が、しきい値を超える、前記複数のパケットの失敗した送信の数を示すのを検出する手段を備える請求項３９記載の装置。
【請求項４８】
前記決定手段は、前記第２の無線リンクから前記受信状態情報を受信する手段を備える請求項３９記載の装置。
【請求項４９】
前記追加のパケットのそれぞれは、前記複数のパケットのうちの、１つ以上のパケットを含む請求項３９記載の装置。
【請求項５０】
前記受信状態情報の決定手段は、前記受信状態情報を含む送信状態情報メッセージを送信する手段を備え、前記追加のパケットの受信手段は、前記送信状態情報メッセージに起因して送信される前記追加のパケットに基づいて受信を継続する手段を備える請求項３９記載の装置。
【請求項５１】
前記追加のパケットの受信手段は、前記第２の無線リンクを使用して、前記追加のパケットを受信する手段を備える請求項３９記載の装置。
【請求項５２】
前記追加のパケットの受信は、規定されている期間、ＳＮＲ値、または、ＳＩＮＲ値、のうちの少なくとも１つに基づいている請求項３９記載の装置。
【請求項５３】
前記追加のパケットの受信手段は、
レート適合プロセスを実行する手段と、
前記レート適合プロセスに基づいて、前記第２の無線リンクを使用して、前記装置から前記追加のパケットを受信する手段とを備える請求項３９記載の装置。
【請求項５４】
前記第１の無線リンク中で受信されるパケットのブロックに対して、複数のＡＲＱ状態を維持する手段をさらに具備し、前記パケットのブロック中のパケットの総数は、前記第２の無線リンクにしたがう現在のＡＲＱ窓のサイズを超える請求項３９記載の装置。
【請求項５５】
前記第２の無線リンクは、ＡＲＱ窓のサイズおよびＡＲＱ状態を含み、
前記装置は、
前記第１の無線リンクを使用して、パケットの総数が前記ＡＲＱ窓のサイズを超える、パケットのブロックを受信する手段と、
前記第１の無線リンクにおける、前記パケットのブロックの確認された正しい受信に基づいて、前記ＡＲＱ状態を更新する手段とをさらに具備する請求項３９記載の装置。
【請求項５６】
前記更新されたＡＲＱ状態に基づいて、ドロップされて再送されたパケットを受信する手段をさらに具備する請求項５５記載の装置。
【請求項５７】
前記第２の無線リンクを使用して、前記再送の任意の受信が実行される請求項５６記載の装置。
【請求項５８】
ワイヤレス通信のためのコンピュータプログラムプロダクトにおいて、
機械読み取り可能媒体を具備し、
前記機械読み取り可能媒体は、
第１の無線リンクを使用して、装置から複数のパケットを受信するように実行可能な命令と、
第２の無線リンク中で使用する、前記複数のパケットに対するインデックスを再構築するように実行可能な命令と、
前記複数のパケット中の各パケットが正しく受信されているかどうかを示す受信状態情報を決定するように実行可能な命令と、
前記インデックスと前記受信状態情報とに基づいて、追加のパケットを受信するように実行可能な命令とを含むコンピュータプログラムプロダクト。
【請求項５９】
アクセスポイントにおいて、
１つ以上のアンテナと、
前記１つ以上のアンテナに結合され、第１の無線リンクを使用して、装置から複数のパケットを受信するように構成されている受信機と、
第２の無線リンク中で使用する、前記複数のパケットに対するインデックスを再構築し、前記複数のパケット中の各パケットが正しく受信されているかどうかを示す受信状態情報を決定するように構成されている処理システムとを具備し、
前記受信機は、前記インデックスと前記受信状態情報とに基づいて、追加のパケットを受信するようにさらに構成されているアクセスポイント。
【発明の詳細な説明】
【合衆国法典第３５部第１１９条に基づく優先権の主張】
【０００１】
特許に対する本出願は、２００９年１１月２０日に出願された、“無線リンク間のデータ転送のシームレスな移行のための方法および装置”と題する仮出願第６１／２６３，２６５号と、２０１０年２月３日に出願された、“無線リンク間のデータ転送のシームレスな移行のための方法および装置”と題する仮出願第６１／３００，９３６号とに対する優先権とを主張し、その両方は、この出願の譲受人に譲渡され、参照により明白にここに組み込まれている。
【分野】
【０００２】
以下の記述は一般に、通信システムに関し、より詳細には、無線リンク間のデータ転送のシームレスな移行のための方法および装置に関する。
【背景】
【０００３】
ワイヤレス通信システムに対して要望される帯域幅要求の増加の問題に対処するために、チャネルリソースを共有することにより、複数のユーザ端末が単一のアクセスポイントと通信することを可能にする一方で、高データスループットを達成するように、異なるスキームが開発されている。複数入力複数出力（ＭＩＭＯ）技術は、次世代通信システムのための人気のある技術として近年登場してきたこのような１つのアプローチを表している。ＭＩＭＯ技術は、米国電気電子学会（ＩＥＥＥ）８０２．１１標準規格のような、いくつかの新興のワイヤレス通信標準規格において採用されている。ＩＥＥＥ８０２．１１は、短距離通信（例えば、数十メートルから数百メートル）のためにＩＥＥＥ８０２．１１委員会により開発された１組のワイヤレスローカルエリアネットワーク（ＷＬＡＮ）エアインターフェース標準規格を表す。
【０００４】
ワイヤレス通信システムにおいて、物理（ＰＨＹ）レイヤのエアリンク媒体により提供されるいくつかの自由な次元を活用するように動作するよう、媒体アクセス（ＭＡＣ）プロトコルが設計されている。最も一般的に活用される自由な次元は、時間および周波数である。例えば、ＩＥＥＥ８０２．１１ ＭＡＣプロトコルでは、ＣＳＭＡ（搬送波感知多元接続）により、“時間”の自由な次元が活用される。ＣＳＭＡプロトコルは、潜在的な高い干渉の期間の間に、確実に１つの送信だけが起こるように試みる。同様に、異なる周波数チャネルを使用することにより、“周波数”の自由な次元を活用することができる。
【０００５】
最近の開発は、既存の容量を増加させるために、または、少なくともより効率的に使用するために使用される実行可能なオプションである次元として、空間を招来している。同時送信および受信のために複数の端末をスケジューリングすることにより、エアリンクの利用を改善するために、空間分割多元接続（ＳＤＭＡ）を使用することができる。空間ストリームを使用して、端末のそれぞれにデータが送られる。例えば、ＳＤＭＡにより、送信機は、個々の受信機に対する直交ストリームを形成する。送信機は、いくつかのアンテナと、いくつかのパスからなる送信／受信チャネルとを有しているので、このような直交ストリームを形成することができる。受信機はまた、１つ以上のアンテナ（ＭＩＭＯ、ＳＩＭＯ）を有していてもよい。この例では、送信機はアクセスポイント（ＡＰ）であり、受信機は局（ＳＴＡ）であると仮定する。例えば、ＳＴＡ−Ｂをターゲットとするストリームが、ＳＴＡ−Ｃ、ＳＴＡ−Ｄ、．．．、等においては低電力干渉として見なされるようにストリームが形成され、これは、著しい干渉を引き起こさず、たいがいは無視されるだろう。
【０００６】
実現されているいくつかのＩＥＥＥ８０２．１１デバイスにおいて、異なるレートの無線リンクを使用してもよい。一例として、デバイスは、２．４／５ＧＨｚおよび６０ＧＨｚの無線リンクを使用してもよい。そのようなデバイスは、短距離、高スループットのファイル転送に対して、より高い、６０ＧＨｚの無線リンクを利用してもよい。しかしながら、６０ＧＨｚ帯域のより深いフェードおよび厳しい方向性要求に起因して、６０ＧＨｚのリンクは、急速に接続性を失うかもしれない。したがって、ストリーミングビデオおよびデータファイルの転送のようなアプリケーションは、これらのアプリケーションが接続を再確立することを必要とするとき、より長い遅延および乏しいユーザ経験を経験し得る。
【０００７】
したがって、上述した欠如のうちの１つ以上に対処することが望まれる。
【概要】
【０００８】
無線リンク間のデータ転送のシームレスな移行のための方法および装置の１つ以上の観点の基本的な理解を提供するために、以下の記述は、そのような観点の単純化した概要を与える。この概要は、考えられるすべての観点の広範な概観ではなく、すべての観点の主なまたは重要な要素を識別するようにも、いくつかのまたはすべての観点の範囲を詳細に描写するようにも向けられていない。その唯一の目的は、後に与えられるより詳細な説明に対するプレリュードとして、単純化した形態で１つ以上の観点のいくつかの概念を与えることである。
【０００９】
さまざまな観点にしたがって、主題のイノベーションは、ワイヤレス通信を提供する装置および方法に関する。ワイヤレス通信のための方法は、第１の無線リンクを使用して、装置から複数のパケットを受信することと、第２の無線リンク中で使用する、複数のパケットに対するインデックスを再構築することと、複数のパケット中の各パケットが正しく受信されているかどうかを示す受信状態情報を決定することと、インデックスと受信状態情報とに基づいて、追加のパケットを受信することとを含む。
【００１０】
別の観点において、第１の無線リンクを使用して、装置から複数のパケットを受信するように構成されている受信機と、第２の無線リンク中で使用する、複数のパケットに対するインデックスを再構築し、複数のパケット中の各パケットが正しく受信されているかどうかを示す受信状態情報を決定するように構成されている処理システムとを含む、ワイヤレス通信のための装置を提供する。受信機は、インデックスと受信状態情報とに基づいて、追加のパケットを受信するようにさらに構成されている。
【００１１】
さらに別の観点において、第１の無線リンクを使用して、別の装置から複数のパケットを受信する手段と、第２の無線リンク中で使用する、複数のパケットに対するインデックスを再構築する手段と、複数のパケット中の各パケットが正しく受信されているかどうかを示す受信状態情報を決定する手段と、インデックスと受信状態情報とに基づいて、追加のパケットを受信する手段とを含む、ワイヤレス通信のための装置を提供する。
【００１２】
さらに別の観点において、第１の無線リンクを使用して、装置から複数のパケットを受信するように実行可能な命令と、第２の無線リンク中で使用する、複数のパケットに対するインデックスを再構築するように実行可能な命令と、複数のパケット中の各パケットが正しく受信されているかどうかを示す受信状態情報を決定するように実行可能な命令と、
インデックスと受信状態情報とに基づいて、追加のパケットを受信するように実行可能な命令とを含む機械読み取り可能媒体を備える、ワイヤレス通信のためのコンピュータプログラムプロダクトを提供する。
【００１３】
さらに別の観点において、１つ以上のアンテナと、１つ以上のアンテナに結合され、第１の無線リンクを使用して、装置から複数のパケットを受信するように構成されている受信機と、第２の無線リンク中で使用する、複数のパケットに対するインデックスを再構築し、複数のパケット中の各パケットが正しく受信されているかどうかを示す受信状態情報を決定するように構成されている処理システムとを含むアクセスポイントを提供する。受信機は、インデックスと受信状態情報とに基づいて、追加のパケットを受信するようにさらに構成されている。
【００１４】
先のおよび関連する目的を達成するために、１つ以上の観点は、以下で十分に記述し、特に特許請求の範囲において示す特徴を備えている。以下の記述および添付図面は、１つ以上の観点のいくつかの例示的な観点を詳細に示す。しかしながら、これらの観点は、さまざまな観点の原理を用いることができるさまざまな方法のうちのほんのいくつかを表すにすぎず、記述した観点は、このようなすべての観点およびそれらの均等物を含むように向けられている。
【図面の簡単な説明】
【００１５】
本開示の、これらのおよび他の例示的な観点は、後に続く詳細な説明および添付図面において説明される。
【００１６】
共通の実践にしたがって、図面のいくつかを明瞭にするために単純化してもよい。したがって、図面は、所定の装置（例えば、デバイス）または方法の構成要素のすべてを描写していないかもしれない。最後に、明細書および図面全体を通して、同じ特徴を表すために、同じ参照番号が使用され得る。
【図１】図１は、本開示の観点にしたがって構成されているワイヤレス通信ネットワークのダイヤグラムである。
【図２】図２は、図１のワイヤレス通信ネットワーク中のワイヤレスノードにおける、フロントエンドネットワーク処理システムを含むワイヤレスノードである。
【図３】図３は、図２のネットワーク処理システムを使用する処理システムを含む装置のブロックダイヤグラムである。
【図４】図４は、本開示の１つの観点にしたがって、２重のリンク速度の下で動作する装置の動作を説明するフロー図である。
【図５】図５は、高速無線リンクに対するＭＡＣカプセル化を図示するダイヤグラムである。
【図６】図６は、第１のＭＡＣレイヤデータフローアーキテクチャのブロックダイヤグラムである。
【図７】図７は、本開示の１つの観点にしたがって、２つの無線リンクを通してロバストな送信を実現するためのワイヤレス装置の機能性を説明するブロックダイヤグラムである。
【図８】図８は、第２のＭＡＣレイヤデータフローアーキテクチャのブロックダイヤグラムである。
【図９】図９は、本開示の１つの観点にしたがって、２つの無線リンクを通してロバストな受信を実現するためのワイヤレス装置の機能性を説明するブロックダイヤグラムである。
【詳細な説明】
【００１７】
添付の図面を参照して、下記で、方法および装置のさまざまな態様をさらに完全に説明する。しかしながら、これらの方法および装置は、多くの異なる形態で具現化してもよく、本開示全体を通して提示する何らかの特定の構造または機能に限定されるものとして解釈すべきではない。むしろ、本開示が完全で完璧になるようにこれらの観点が提供され、これらの観点は、当業者に、これらの方法および装置の範囲を十分に伝えるだろう。本開示の他の何らかの観点とは独立して実現されるか、または、本開示の他の何らかの観点と組み合わせて実現されるかにかかわらず、本開示の範囲が、ここで開示する方法および装置の何らかの観点をカバーすることを意図していることを、ここでの記述および教示に基づいて当業者は正しく認識すべきである。例えば、ここで示す任意の数の観点を使用して、装置を実現してもよく、または、方法を実施してもよい。加えて、本開示の範囲は、ここで示す開示のさまざまな観点に加えて、もしくは、ここで示す開示のさまざまな観点以外に、他の構造、機能性、あるいは、構造および機能性を使用して実施されるこのような装置もしくは方法をカバーすることを意図している。ここで開示する何らかの観点は、特許請求の範囲のうちの１つ以上のエレメントにより具現化してもよいことを理解すべきである。
【００１８】
図１を参照して、ワイヤレスネットワークのいくつかの観点をこれから提示する。ワイヤレスネットワーク１００が、一般的にアクセスポイント１１０ならびに複数のアクセス端末または局（ＳＴＡ）１２０として指定されているいくつかのワイヤレスノードにより示されている。各ワイヤレスノードは、受信および／または送信が可能である。以下に続く詳細な説明では、ダウンリンク通信に対しては、送信ノードを示すために“アクセスポイント”という用語を使用し、受信ノードを示すために“アクセス端末”という用語を使用するのに対し、アップリンク通信に対しては、受信ノードを示すために“アクセスポイント”という用語を使用し、送信ノードを示すために“アクセス端末”という用語を使用する。しかしながら、アクセスポイントおよび／またはアクセス端末に対して他の専門用語または専門語を使用してもよいことを当業者は容易に理解するだろう。例として、アクセスポイントは、基地局、基地トランシーバ局、局、端末、ノード、ワイヤレスノード、アクセスポイントとして動作するアクセス端末、または、他の何らかの適切な専門用語として呼ぶことがある。アクセス端末は、ユーザ端末、移動局、加入者局、局、ワイヤレスデバイス、端末、ノード、ワイヤレスノード、または、他の何らかの適切な専門用語として呼ぶことがある。本開示全体を通して説明するさまざまな概念は、それらの特定の専門語に関係なく、すべての適切なワイヤレスノードに適用することを意図している。
【００１９】
ワイヤレスネットワーク１００は、アクセス端末１２０に対するカバレッジを提供するために、地理的な領域全体を通して分散されている任意の数のアクセスポイントをサポートしてもよい。システム制御装置１３０を使用して、アクセスポイントの調整および制御を行うとともに、アクセス端末１２０に対して他のネットワーク（例えば、インターネット）へのアクセスを提供してもよい。簡潔さのために、１つのアクセスポイント１１０が示されている。アクセスポイントは、一般的に、カバレッジの地理的な領域中のアクセス端末にバックホールサービスを提供する固定端末である。しかしながら、アクセスポイントは、何らかの応用では、移動性のものであってもよい。固定のものまたは移動性のものであってもよいアクセス端末は、アクセスポイントのバックホールサービスを利用するか、または、他のアクセス端末とのピア・ツー・ピア通信に携わる。アクセス端末の例は、電話機（例えば、セルラ電話機）、ラップトップコンピュータ、デスクトップコンピュータ、パーソナルデジタルアシスタント（ＰＤＡ）、デジタルオーディオプレーヤー（例えば、ＭＰ３プレーヤー）、カメラ、ゲームコンソール、または、他の何らかの適切なワイヤレスノードを含む。
【００２０】
ワイヤレスネットワーク１００は、ＭＩＭＯ技術をサポートしてもよい。ＭＩＭＯ技術を使用して、アクセスポイント１１０は、空間分割多元接続（ＳＤＭＡ）を使用して、複数のアクセス端末１２０と同時に通信してもよい。ＳＤＭＡは、同じ周波数チャネルを共有し、結果として、より高いユーザ容量を提供するために、異なる受信機に同時に複数のストリームを送信することを可能にする多元接続スキームである。各データストリームを空間的にプリコーディングし、その後、ダウンリンク上で異なる送信アンテナを通して、空間的にプリコーディングされた各ストリームを送信することにより、これは達成される。空間的にプリコーディングされたデータストリームは、異なる空間シグニチャを持つアクセス端末に到着し、これにより、各アクセス端末１２０が、そのアクセス端末１２０に対して向けられたデータストリームを回復することが可能になる。アップリンク上では、各アクセス端末１２０が、空間的にプリコーディングされたデータストリームを送信し、これにより、アクセスポイント１１０が、空間的にプリコーディングされた各データストリームのソースを識別することが可能になる。ここでは“プリコーディング”という用語を使用するが、一般的に、データストリームの、プリコーディング、エンコーディング、デコーディング、および／または、ポストコーディングのプロセスを含むように、“コーディング”という用語を使用してもよいことにも留意すべきである。
【００２１】
ある機能性をイネーブルするために、１つ以上のアクセス端末１２０には、複数のアンテナが装備されている。このコンフィギュレーションでは、例えば、アクセスポイント１１０における複数のアンテナを使用して、複数のアンテナのアクセスポイントと通信して、付加的な帯域幅または送信電力なしでデータスループットを向上させることができる。送信機における高データレート信号を、異なる空間シグニチャを持つ複数のより低いレートのデータストリームに分けることにより、これを達成してもよく、したがって、受信機が、これらのストリームを複数のチャネルに分離し、ストリームを適切に合成して、高レートのデータ信号を回復することが可能になる。
【００２２】
以下の開示の一部は、ＭＩＭＯ技術もサポートするアクセス端末を説明するが、ＭＩＭＯ技術をサポートしないアクセス端末をサポートするようにも、アクセスポイント１１０を構成してもよい。このアプローチにより、より古いバージョンのアクセス端末（すなわち、“レガシー”端末）を、ワイヤレスネットワーク中に配置したままにし、それらの耐用寿命を延ばすことを可能にする一方で、より新しいＭＩＭＯアクセス端末を適宜導入することが可能になる。
【００２３】
以下に続く詳細な説明では、直交周波数分割多重化（ＯＦＤＭ）のような、何らかの適切なワイヤレス技術をサポートするＭＩＭＯシステムを参照して、本開示のさまざまな観点を説明する。ＯＦＤＭは、正確な周波数において間隔が空けられている多数の副搬送波にわたってデータを配信する拡散スペクトル技術である。間隔を空けることは、受信機が副搬送波からデータを回復することを可能にする“直交性”を提供する。ＯＦＤＭシステムは、ＩＥＥＥ８０２．１１または他の何らかのエアインターフェース標準規格を実現してもよい。他の適切なワイヤレス技術は、例として、コード分割多元接続（ＣＤＭＡ）、時分割多元接続（ＴＤＭＡ）、または、他の何らかの適切なワイヤレス技術、あるいは、適切なワイヤレス技術の何らかの組み合わせを含んでいる。ＣＤＭＡシステムは、ＩＳ−２０００、ＩＳ−９５、ＩＳ−８５６、ワイドバンドＣＤＭＡ（ＷＣＤＭＡ）、または、他の何らかの適切なエアインターフェース標準規格を実現してもよい。ＴＤＭＡシステムは、グローバルシステムフォーモバイルコミュニケーション（ＧＳＭ（登録商標））、または、他の何らかの適切なエアインターフェース標準規格を実現してもよい。本開示のさまざまな観点が、何らかの特定のワイヤレス技術および／またはエアインターフェース標準規格に限定されないことを当業者は容易に正しく認識するだろう。
【００２４】
アクセスポイントであろうと、アクセス端末であろうと、ワイヤレスノードは、レイヤ構造を利用するプロトコルにより実現され、レイヤ構造は、共有ワイヤレスチャネルへのワイヤレスノードのインターフェースとなる、すべての物理的および電気的仕様を実現する物理（ＰＨＹ）レイヤと、共有ワイヤレスチャネルへのアクセスを調整する媒体アクセス制御（ＭＡＣ）レイヤと、一例として、スピーチおよびマルチメディアのコーデックならびにグラフィック処理を含む、さまざまなデータ処理機能を実行するアプリケーションレイヤとを含む。追加のプロトコルレイヤ（例えば、ネットワークレイヤ、トランスポートレイヤ）が、何らかの特定のアプリケーションに対して必要とされ得る。いくつかの構成において、ワイヤレスノードは、アクセスポイントとアクセス端末との間の、または、２つのアクセス端末の間の中継ポイントとして作動してもよく、それゆえに、アプリケーションレイヤを必要としないかもしれない。特定のアプリケーションおよび全システムに課される全設計制約次第で、任意のワイヤレスノードに対して適切なプロトコルを、当業者は容易に実現できるだろう。
【００２５】
ワイヤレスノードが送信モードにあるとき、アプリケーションレイヤは、データを処理し、データをパケットにセグメント化し、データパケットをＭＡＣレイヤに提供する。ＭＡＣレイヤは、ＭＡＣパケットのペイロードによって搬送される、アプリケーションレイヤからの各データパケットによりＭＡＣパケットをアセンブルする。代わりに、ＭＡＣパケットに対するペイロードは、アプリケーションレイヤからの、データパケットまたは複数のデータパケットの断片を搬送してもよい。各ＭＡＣパケットは、ＭＡＣヘッダと、誤り検出コードとを含む。ＭＡＣパケットは、ＭＡＣプロトコルデータユニット（ＭＰＤＵ）と呼ばれることもあるが、フレーム、パケット、タイムスロット、セグメント、または、他の任意の適切な専門語で呼ばれることもある。
【００２６】
ＭＡＣが送信するのを決定したとき、ＭＡＣは、ＭＡＣパケットのブロックをＰＨＹレイヤに提供する。ＰＨＹレイヤは、ＭＡＣパケットのブロックをペイロードにアセンブルし、プリアンブルを付加することによって、ＰＨＹパケットをアセンブルする。後に、より詳細に説明するように、ＰＨＹレイヤはまた、さまざまな信号処理機能（例えば、変調、コード化、空間処理など）を担当する。物理レイヤコンバージェンスプロトコル（ＰＬＣＰ）とも呼ばれることがあるプリアンブルは、ＰＨＹパケットの開始を検出し、送信機のノードデータクロックに同期させるために、受信ノードによって使用される。ＰＨＹパケットは、物理レイヤプロトコルデータユニット（ＰＬＰＤＵ）と呼ばれることもあるが、フレーム、パケット、タイムスロット、セグメント、または、他の任意の適切な専門語で呼ばれることもある。
【００２７】
ワイヤレスノードが受信モードにあるとき、プロセスは逆にされる。すなわち、ＰＨＹレイヤは、ワイヤレスチャネルからの到来するＰＨＹパケットを検出する。プリアンブルは、ＰＨＹレイヤが、ＰＨＹパケットに照準を定めて、さまざまな信号処理機能（例えば、復調、デコーディング、空間処理など）を実行することを可能にする。いったん処理されると、ＰＨＹレイヤは、ＰＨＹパケットのペイロード中で搬送されたＭＡＣパケットのブロックを回復して、ＭＡＣパケットをＭＡＣレイヤに提供する。
【００２８】
ＭＡＣレイヤは、各ＭＡＣパケットに対して誤り検出コードをチェックして、それが首尾よくデコードされたかどうかを決定する。ＭＡＣパケットに対する誤り検出コードが、ＭＡＣパケットが首尾よくデコードされたことを示す場合、ＭＡＣパケットに対するペイロードが、アプリケーションレイヤに提供される。ＭＡＣパケットに対する誤り検出コードが、ＭＡＣパケットが失敗してデコードされたことを示す場合、ＭＡＣパケットは廃棄される。どのデータパケットが首尾よくデコードされたかを示す、ブロック肯定応答（ＢＡＣＫ）が、送信ノードに返送されてもよい。送信ノードはＢＡＣＫを使用して、どのデータパケットであるかを決定し、場合によっては、再送を必要とする。
【００２９】
図２は、ＰＨＹレイヤの信号処理機能の例を示す概念的なブロックダイヤグラムである。送信モードでは、ＴＸデータプロセッサ２０２を使用して、ＭＡＣレイヤからデータを受け取り、受信ノードにおいて順方向誤り訂正（ＦＥＣ）を促進するために、データをエンコード（例えば、ターボコード）してもよい。エンコーディング処理は、結果としてコードシンボルのシーケンスをもたらし、コードシンボルのシーケンスは、共にブロック化され、ＴＸデータプロセッサ２０２により信号配列にマッピングされて、変調シンボルのシーケンスが生成される。
【００３０】
ＯＦＤＭを実現するワイヤレスノードにおいて、ＴＸデータプロセッサ２０２からの変調シンボルを、変調シンボルの空間処理を実行するＴＸ空間プロセッサ２０４に提供してもよい。これは、変調シンボルをＯＦＤＭ変調器２０６に提供する前に、変調シンボルを空間プリコードすることによって、達成され得る。
【００３１】
ＯＦＤＭ変調器２０６は、変調シンボルを並列ストリームに分ける。各ストリームは、その後、ＯＦＤＭ副搬送波にマッピングされ、そして、逆高速フーリエ変換（ＩＦＦＴ）を使用して共に合成され、時間ドメインＯＦＤＭストリームが生成される。空間的にプリコーディングされた各ＯＦＤＭストリームは、その後、それぞれのトランシーバ２０８ａないし２０８ｎを介して、異なるアンテナ２１０ａないし２１０ｎに提供される。各トランシーバ２０８ａないし２０８ｎは、ワイヤレスチャネルを通しての送信のために、それぞれのプリコーディングされたストリームによりＲＦ搬送波を変調する。
【００３２】
受信モードでは、各トランシーバ２０８ａないし２０８ｎは、そのそれぞれのアンテナ２１０ａないし２１０ｎを通して信号を受信する。各トランシーバ２０８ａないし２０８ｎを使用して、ＲＦ搬送波上に変調された情報を回復し、ＯＦＤＭ復調器２２０に情報を提供してもよい。
【００３３】
ＲＸ空間プロセッサ２２０は、ワイヤレスノード２００に対して向けられた何らかの空間ストリームを回復するために、情報上で空間処理を実行する。チャネル相関行列反転（ＣＣＭＩ）、最小平均二乗誤差（ＭＭＳＥ）、ソフト干渉消去（ＳＩＣ）、または、他の何らかの適切な技術にしたがって、空間処理を実行してもよい。複数の空間ストリームがワイヤレスノード２００に対して向けられている場合には、ＲＸ空間プロセッサ２２２によりそれらを合成してもよい。
【００３４】
ＯＦＤＭを実現するワイヤレスノードでは、トランシーバ２０８ａないし２０８ｎからのストリーム（または、合成されたストリーム）が、ＯＦＤＭ復調器２２０に提供される。ＯＦＤＭ復調器２２０は、高速フーリエ変換（ＦＦＴ）を使用して、ストリーム（または、合成されたストリーム）を時間ドメインから周波数ドメインにコンバートする。周波数ドメイン信号は、ＯＦＤＭ信号の各副搬送波に対して別個のストリームを含んでいる。ＯＦＤＭ復調器２２０は、各副搬送波上で搬送されたデータ（すなわち、変調シンボル）を回復し、ＲＸ空間プロセッサ２２２にストリームを送る前に、変調シンボルのストリーム中にデータを多重化する。
【００３５】
ＲＸ空間プロセッサ２２２は、ワイヤレスノード２００に対して向けられた何らかの空間ストリームを回復するために、情報上で空間処理を実行する。チャネル相関行列反転（ＣＣＭＩ）、最小平均二乗誤差（ＭＭＳＥ）、ソフト干渉消去（ＳＩＣ）、または、他の何らかの適切な技術にしたがって、空間処理を実行してもよい。複数の空間ストリームがワイヤレスノード２００に対して向けられている場合には、ＲＸ空間プロセッサ２２２によりそれらを合成してもよい。
【００３６】
ＲＸデータプロセッサ２２４を使用して、変調シンボルを翻訳して信号配列中の正しいポイントに戻してもよい。ワイヤレスチャネル中のノイズおよび他の妨害のために、変調シンボルは、本来の信号配列中のポイントのまさにその位置に対応していないことがある。ＲＸデータプロセッサ２２４は、受信したポイントと、信号配列中の有効なシンボルの位置との間の最短距離を見つけることにより、どの変調シンボルが送信された可能性が最も高いかを検出する。例えば、ターボコードのケースでは、所定の変調シンボルに関係付けられているコードシンボルの対数尤度比（ＬＬＲ）を計算するために、これらの軟判定を使用してもよい。その後、ＲＸデータプロセッサ２２４は、ＭＡＣレイヤにデータを提供する前に、本来送信されたデータをデコードするために、コードシンボルＬＬＲのシーケンスを使用する。
【００３７】
図３は、ワイヤレスノード中の処理システム３００に対するハードウェア構成の例を図示する。この例において、処理システム３００は、バス３０２により一般的に表されているバスアーキテクチャにより実現され得る。バス３０２は、処理システム３００の特定のアプリケーションおよび全設計制約次第で、任意の数の相互接続バスおよびブリッジを含んでいてもよい。バスは、プロセッサ３０４、コンピュータ読み取り可能媒体３０６、バスインターフェース３０８を含むさまざまな回路を互いに結合する。バスインターフェース３０８を使用して、バス３０２を介して、ネットワークアダプタ３１０を、とりわけ、処理システム３００に接続してもよい。ネットワークインターフェース３１０を使用して、ＰＨＹレイヤの信号処理機能を実現してもよい。アクセス端末１１０（図１参照）のケースにおいて、ユーザインターフェース３１２（例えば、キーパッド、ディスプレイ、マウス、ジョイスティックなど）を、バスインターフェース３０８を介してバスに接続してもよい。バス３０２はまた、タイミング源や、周辺装置や、電圧調整器や、パワーマネージメント回路や、これらに類似するもののような、さまざまな他の回路を結合してもよく、これらの回路は技術的に十分に知られているため、さらに記述しない。
【００３８】
プロセッサ３０４は、バスの管理、および、コンピュータ読み取り可能媒体３０８上に記憶されているソフトウェアの実行を含む、一般的な処理を担当する。プロセッサ３０４は、１つ以上の、汎用および／または専用のプロセッサにより実現されてもよい。例として、マイクロプロセッサ、マイクロコントローラ、デジタル信号プロセッサ（ＤＳＰ）、フィールドプログラム可能ゲートアレイ（ＦＰＧＡ）、プログラム可能論理デバイス（ＰＬＤ）、状態機械、ゲート論理、ディスクリートハードウェア回路、および、本開示全体を通して記述されているさまざまな機能性を実行するように構成されている他の適切なハードウェアを含む。
【００３９】
処理システム中の１つ以上のプロセッサは、ソフトウェアを実行してもよい。ソフトウェア、ファームウェア、ミドルウェア、マイクロコード、ハードウェア記述言語、または、その他の場合のいずれを参照しようと、ソフトウェアは、命令、命令のセット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行のスレッド、プロシージャ、関数などを意味するように広く解釈される。
【００４０】
図３中で図示されているハードウェア構成において、コンピュータ読み取り可能媒体３０６は、プロセッサ３０４から分離した、処理システム３００の一部として示されている。しかしながら、コンピュータ読み取り可能媒体３０６、または、その何らかの部分は、処理システム３００の外部にあってもよいことを、当業者は容易に理解するだろう。一例として、コンピュータ読み取り可能媒体３０６は、伝送路、データにより変調される搬送波、および／または、ワイヤレスノードから分離したコンピュータプロダクトを含んでいてもよく、それらのすべては、バスインターフェース３０８を通してプロセッサ３０４によってアクセスされ得る。代わりに、または、加えて、コンピュータ読み取り可能媒体３０６、または、その何らかの部分は、キャッシュおよび／または汎用レジスタファイルのケースのように、プロセッサ３０４に統合されていてもよい。
【００４１】
２．４／５ＧＨｚ無線リンクのような、より低速のリンクによって、および、６０ＧＨｚ無線リンクのような、より高速のリンクによって通信できる、所定のＩＥＥＥ８０２．１１デバイスは、２．４／５ＧＨｚにおいて、６０ＧＨｚでのＰＨＹレイヤ接続性に関して劣化をこうむる可能性が高い。通信のロバストネスを向上させるために、ここで開示するシステムは、より高速のリンクがドロップするときに、より低速のリンクによって接続を保つことができる。本開示の１つの観点において、２．４／５ＧＨｚリンクが、６０ＧＨｚリンクにロバストなバックアップを提供し、それゆえに、６０ＧＨｚリンクでの失敗の間に、アプリケーション接続の維持を可能にすることを、ＭＡＣアーキテクチャは可能にする。一例として、ＴＣＰ接続を、ロバストネスに基づいて維持できる。別の例として、より低い品質ではあるが、ビデオストリームを継続して維持できる。
【００４２】
図４は、本開示の１つの観点にしたがって、二重のリンク速度の下で動作する装置のスキーム４００を図示する。
【００４３】
ステップ４０２において、２つのＳＴＡ間のトラフィック送信に先立って、ＳＴＡは、より低速の無線リンクに対して、ブロックＡＣＫポリシーを交渉する。例えば、ＳＴＡ１およびＳＴＡ２は、２．４／５ＧＨｚの無線リンク、オペレーションのような、より低速のリンクに対して、ブロック肯定応答（ＢＡ）ポリシーを交渉する。
【００４４】
ステップ４０４において、８０２．１１ＡＲＱを処理するのに必要な状態機械が、送信側および受信側で開始される。
【００４５】
ステップ４０６において、８０２．１１ｎ ＭＡＣ動作にしたがって、すべてのＭＰＤＵにシーケンス番号が提供される。
【００４６】
ステップ４０８において、いくつかのＭＰＤＵが、Ａ−ＭＰＤＵを形成するために集約される。
【００４７】
ステップ４１０において、６０ＧＨｚリンクのような、より高速のリンクが利用可能であるかどうかが決定される。そうである場合、動作はステップ４１４に続き、以下でさらに記述するように、ＭＡＣパケットが、６０ＧＨｚの無線リンクを使用して送信される。さもなくて、６０ＧＨｚのリンクが利用可能でない場合、動作はステップ４１２に続き、以下で記述するように、ＭＡＣパケットが、２．４／５ＧＨｚリンクのような、より低速のリンクを使用して送信される。
【００４８】
６０ＧＨｚ ＰＨＹのような、より高速のリンクが利用可能でないことがステップ４１０において決定された場合、ステップ４１２において、ＭＡＣレイヤは、２．４／５ＧＨｚ ＰＨＹのような、より低速のリンクでのＡ−ＭＰＤＵの移送を開始する。本開示の１つの観点において、移行のためにＭＡＣレイヤ接続がセットアップされる必要がなく、より高速の物理レイヤと、より低速の物理レイヤとの間の移行を示すために、いかなるメッセージも伝達する必要がない。６０ＧＨｚリンクが改善するとき、パケットは、６０ＧＨｚの無線リンク上で継続できる。
【００４９】
再度ステップ４１０を参照し、さらに図５を参照すると、より高速のリンクが利用可能である場合、動作はステップ４１４に進行し、いくつかのＡ−ＭＰＤＵ５０２−１ないし５０２−ｎが、カプセル化部５２２に送られる。カプセル化部５２２において、付加的な、それぞれの６０ＧＨｚコンバージェンスレイヤヘッダ５０２ａ−１ないし５０２ａ−ｎが、Ａ−ＭＰＤＵ５０２ｂ−１ないし５０２ｂ−ｎに加えられる。本開示の１つの観点において、各６０ＧＨｚコンバージェンスレイヤヘッダは、別々のシーケンス番号５４４を含む。
【００５０】
ステップ４１６において、６０ＧＨｚ ＰＳＤＵが、そのようないくつかのＡ−ＭＰＤＵから形成される。
【００５１】
ステップ４１８において、送信側および受信側の８０２．１１ＭＡＣ ＡＲＱ状態が、６０ＧＨｚ ＰＨＹ上で送られる、肯定応答されるＡ−ＭＰＤＵに対処するために更新される。
【００５２】
ＡＲＱ窓のサイズが、送信される６０ＧＨｚ ＰＳＤＵのサイズを制限しないことを保証するために、いくつかの戦略を利用してもよい。例えば、ＩＥＥＥ８０２．１１ｎでは、ＢＡが６４ビットのビットマップだけを搬送することから、ＡＲＱ窓のサイズは、６４ＭＰＤＵに制限される。ビットマップは、送信状態情報を記憶する。
【００５３】
１．８０２．１１において、Ａ−ＭＳＤＵを使用して、より高いレイヤから、いくつかのＭＳＤＵを集約してもよい。各Ａ−ＭＳＤＵには、シーケンス番号が割り当てられる。Ａ−ＭＳＤＵは、８０００バイトまでの長さとすることができることに留意すべきである。それゆえに、単一のブロックＡＣＫは、６４×８０００バイトの長さである集合体を確認できる。
【００５４】
２．ゆるいＢＡ状態情報の維持。送信機側は、受信したシーケンス中の最後のものと、６０ＧＨｚリンク上での送信に基づくビットマップとを更新する。６０ＧＨｚリンク上での送信は、現在のＡＲＱ窓を超えて進行することが認められる。６０ＧＨｚのリンクが失敗するやいなや、いくつかの動作が可能である。
【００５５】
ａ．  送信機は、現在の既知のブロックＡＣＫ状態に基づいて、５ＧＨｚリンク上で送信を開始する。受信機は、以前に６０ＧＨｚリンク上で受信されたＭＰＤＵを確認できるＢＡによりデータに応答する。ＢＡの受信に基づいて、送信機は、現在のＡＲＱ窓を超えるシーケンス番号を前もってスキップできる。
【００５６】
ｂ．  送信機は、現在の既知のＢＡ状態に基づいて、ＢＡＲ（ブロックＡＣＫ要求）を送ることによって開始する。ＢＡＲへの応答に基づいて、送信機は窓を更新する。いくつかのケースにおいて、どのシーケンス番号を再送する必要があるかを送信機が決定できる前に、いくつかのＢＡＲを送る必要があるかもしれないことに留意すべきである。
【００５７】
図６は、本開示の１つの観点にしたがって構成されているアーキテクチャにおけるデータフロー６００を説明し、ＩＥＥＥ８０２．１１上位ＭＡＣ部６０２を含む。上位ＭＡＣ部６０２は、ＩＥＥＥ８０２．１１下位ＭＡＣおよびＰＨＹ部６１０に結合されている。下位ＭＡＣおよびＰＨＹ部６１０は、ＩＥＥＥ８０２．１１ｅ／ｎ ＡＲＱエンジン６１６を提供するために使用される送信バッファ６１４を含む。エンジン６１６はまた、送信すべきデータに対して、送信の集約を実行する。本開示の１つの観点において、２つのＰＨＹレイヤを介して、データを送信してもよい。２．４／５ＧＨｚ ＰＨＹレイヤ６１８で構成される、１つのＰＨＹ部は、２．４／５ＧＨｚの無線リンク上でデータを送信するために使用される。６０ＧＨｚコンバージェンスレイヤ６２０および６０ＧＨｚレイヤ６２２で構成される、別のＰＨＹ部は、６０ＧＨｚのより高速の無線リンク上でデータパケットをアンブルして送信するために使用される。受信機側では、エンジン６１６はまた、先に開示したアプローチにしたがって２．４／５ＧＨｚおよび６０ＧＨｚの無線リンク上で受信されるデータに対するブロックＡＣＫの受信を実行する。
【００５８】
図８は、本開示の１つの観点にしたがって構成されているアーキテクチャにおける第２のデータフロー８００を説明し、２．４／５ＧＨｚおよび６０ＧＨｚの無線リンクからパケットを受信するプロセスを記述する。先の図６中での記述と同様に、アーキテクチャは、ＩＥＥＥ８０２．１１上位ＭＡＣ部８０２を含む。上位ＭＡＣ部８０２は、ＩＥＥＥ８０２．１１下位ＭＡＣおよびＰＨＹ部８１０に結合されている。下位ＭＡＣおよびＰＨＹ部８１０は、ＩＥＥＥ８０２．１１ｅ／ｎ受信機ＡＲＱおよびＢＡ送信エンジン８１６によって提供される再アセンブリバッファ８１４を含む。エンジン８１６は、先に開示したアプローチに基づく送信にしたがって、２．４／５ＧＨｚおよび６０ＧＨｚの無線リンク上で受信されるデータに対して、ＡＲＱおよびＢＡの送信を実行する。エンジン８１６はまた、受信されるデータに対して、受信の集約を実行する。本開示の１つの観点において、先に示したデータフローと逆の方向において、２つのＰＨＹレイヤを介して、データを受信してもよい。２．４／５ＧＨｚ ＰＨＹレイヤ８１８で構成される、１つのＰＨＹ部は、２．４／５ＧＨｚの無線リンク上でデータを受信するために使用される。６０ＧＨｚコンバージェンスレイヤ８２０および６０ＧＨｚレイヤ８２２で構成される、別のＰＨＹ部は、６０ＧＨｚのより高速の無線リンク上でデータパケットを受信してアセンブルするために使用される。
【００５９】
ここで記述する処理システム、または、処理システムの何らかの部分は、ここで記載した機能を実行する手段を提供してもよい。一例として、コードを実行する処理システムは、第１の無線リンク中で使用する、複数のパケットに対するインデックスを発生させる手段と、第２の無線リンクを使用して、複数のパケットを送信する手段と、複数のパケット中の各パケットが受信されているかどうかを示す送信状態情報を決定する手段と、インデックスと送信状態情報とに基づいて、追加のパケットを送信する手段とを提供してもよい。別の例として、コードを実行する処理システムは、複数の他の装置とともに、装置によって、要求に基づいて、媒体へのアクセスを争う手段と、メッセージを受信する手段であって、メッセージは、装置および他の装置からの要求に基づくリソースの割振りを含み、リソースの割振りは、装置および他の装置のいくつかからのデータ送信を許可する、手段と、メッセージに基づいて、装置によってデータを送信する手段とを提供してもよい。代わりに、コンピュータ読み取り可能媒体上のコードは、ここで記載した機能を実行する手段を提供してもよい。
【００６０】
図７は、本開示の１つの観点にしたがった、装置７００の機能性を説明するダイヤグラムである。装置７００は、別の装置への送信のために第１の無線リンク中で使用する、複数のパケットに対するインデックスを発生させるモジュール７０２と、第２の無線リンクを使用して複数のパケットを他の装置に送信するモジュール７０４と、複数のパケット中の各パケットが他の装置によって受信されているかどうかを示す送信状態情報を決定するモジュール７０６と、インデックスと送信状態情報とに基づいて、追加のパケットを送信するモジュール７０８とを含む。
【００６１】
図９は、本開示の１つの観点にしたがった、装置９００の機能性を説明するダイヤグラムである。装置９００は、第１の無線リンクを使用して、装置から複数のパケットを受信するモジュール９０２と、第２の無線リンクにおいて使用する、複数のパケットに対するインデックスを再構築するモジュール９０４と、複数のパケット中の各パケットが正しく受信されているかどうかを示す受信状態情報を決定するモジュール９０６と、インデックスと受信状態情報とに基づいて、追加のパケットを受信するモジュール９０８とを含む。
【００６２】
ソフトウェアモジュールの状況において記述したステップの何らかの特定の順序または階層は、ワイヤレスノードの例を提供するように与えられていることが理解される。設計の選択に基づいて、ステップの特定の順序または階層を、本開示の範囲内にとどまりながら並べ変えてもよいことが理解される。
【００６３】
特定のアプリケーションおよび全システムに課される全体の設計制約次第で、当業者は、本開示全体を通して与えられている記述した機能を実現する最良の方法を認識するだろう。
【００６４】
１つ以上の例示的な実施形態において、記述した機能は、ハードウェア、ソフトウェア、ファームウェア、またはこれらの任意の組み合わせ中で実現してもよい。ソフトウェアにおいて実現する場合、コンピュータ読み取り可能媒体上に、１つ以上の命令またはコードとして、機能を記憶させてもよく、または機能を送信してもよい。コンピュータ読み取り可能媒体は、コンピュータ記憶媒体と、ある場所から別の場所へのコンピュータプログラムの転送を容易にする何らかの媒体を含む通信媒体との両方を含む。記憶媒体は、コンピュータによりアクセスできる任意の利用可能な媒体であってもよい。一例として、限定ではないが、そのようなコンピュータ読み取り可能媒体は，ＲＡＭ、ＲＯＭ、ＥＥＰＲＯＭ、ＣＤ−ＲＯＭまたは他の光学ディスク記憶装置、磁気ディスク記憶装置または他の磁気記憶デバイス、あるいは、命令またはデータ構造の形態で所望のプログラムコードを搬送または記憶するために使用でき、コンピュータによりアクセスできる他の任意の媒体を備えることができる。さらに、いくつかの接続は、適切にコンピュータ読み取り可能媒体と呼ばれる。例えば、ソフトウェアが、同軸ケーブル、光ファイバケーブル、ツイストペア線、デジタル加入者線（ＤＳＬ）、または、赤外線、無線、およびマイクロ波のようなワイヤレス技術を使用して、ウェブサイト、サーバまたは他のリモート情報源から送信される場合、同軸ケーブル、光ファイバケーブル、ツイストペア線、ＤＳＬ、または、赤外線、無線、およびマイクロ波のようなワイヤレス技術は、媒体の定義に含まれる。ここで使用されるディスク（Ｄｉｓｋおよびｄｉｓｃ）は、コンパクトディスク（ＣＤ）、レーザーディスク（登録商標）、光ディスク、デジタルバーサタイルディスク（ＤＶＤ）、フロッピー（登録商標）ディスク、およびブルーレイディスクを含み、ディスク（ｄｉｓｋ）は通常、磁気的にデータを再生し、一方、ディスク（ｄｉｓｃ）は、レーザにより光学的にデータを再生する。したがって、いくつかの観点において、コンピュータ読み取り可能媒体は、非一時的コンピュータ読み取り可能媒体（例えば、有形の媒体）を含んでもよい。さらに、いくつかの観点において、コンピュータ読み取り可能媒体は、一時的コンピュータ読み取り可能媒体（例えば、信号）を含んでもよい。上述の組み合わせもまた、コンピュータ読み取り可能媒体の範囲内に含まれるべきである。
【００６５】
先の説明は、当業者が本開示の完全な範囲を十分に理解することが可能になるように提供されている。ここで開示したさまざまなコンフィギュレーションに対する改良は、当業者に容易に明らかになるであろう。したがって、特許請求の範囲は、ここで説明した開示のさまざまな態様に限定されることを意図するものではなく、特許請求の範囲の文言と矛盾しない全範囲に一致させるべきである。ここで、エレメントへの単数形での参照は、そのように特に述べられていない限り、“１つおよび１つのみ”を意味することを意図しているのではなく、むしろ“１つ以上”を意味することを意図している。そうではないと特に述べられていない限り、“いくつかの”という用語は、１つ以上のことを指す。エレメントの組み合わせのうちの少なくとも１つ（例えば、Ａ、Ｂ、または、Ｃのうちの少なくとも１つ）を規定する請求項は、規定されているエレメントのうちの１つ以上（例えば、ＡまたはＢまたはＣ、あるいは、それらの何らかの組み合わせ）のことを指す。当業者に知られている、あるいは、当業者に後に知られることになる、本開示全体を通して説明したさまざまな態様のエレメントに対するすべての構造的および機能的な均等物は、参照によりここに明示的に組み込まれており、特許請求の範囲により含められることを意図している。さらに、ここで開示したものは、このような開示が特許請求の範囲中に明示的に規定されているか否かにかかわらず、公共に捧げられることを意図していない。どの請求項のエレメントも、エレメントが“ミーンズフォー”というフレーズを使用して明確に規定されない限り、または、方法の請求項のケースでは、エレメントが“ステップフォー”というフレーズを使用して規定されない限り、合衆国法典第３５部第１１２条第６パラグラフの条文の下で解釈すべきではない。
【図１】
2013511923.tif 000003
【図２】
2013511923.tif 000004
【図３】
2013511923.tif 000005
【図４】
2013511923.tif 000006
【図５】
2013511923.tif 000007
【図６】
2013511923.tif 000008
【図７】
2013511923.tif 000009
【図８】
2013511923.tif 000010
【図９】
2013511923.tif 000011
【手続補正書】
【提出日】平成24年7月23日(2012.7.23)
【手続補正１】
【補正対象書類名】特許請求の範囲
【補正対象項目名】全文
【補正方法】変更
【補正の内容】
【特許請求の範囲】
【請求項１】
ワイヤレス通信のための方法において、
高速の無線リンクにおいてカプセル化された複数のパケットを装置から受信することと、
低速の無線リンク中で使用する、前記複数のパケットに対するインデックスを再構築することと、
前記複数のパケット中の各パケットが正しく受信されているかどうかを示す受信状態情報を決定することと、
前記インデックスと前記受信状態情報とに基づいて、追加のパケットを受信することとを含む方法。
【請求項２】
前記インデックスは、前記第１の無線リンクの送信サイズに基づいている請求項１記載の方法。
【請求項３】
前記第１の無線リンクを使用する前記複数のパケットの受信は、単一の、第１の無線リンクフレームから前記複数のパケットを分解することを含む請求項１記載の方法。
【請求項４】
前記第１の無線リンクを使用する前記複数のパケットの受信は、第１の無線リンクプロトコルにしたがって、前記複数のパケットのカプセル化を取り除くことを含む請求項１記載の方法。
【請求項５】
前記複数のパケットの前記受信状態情報は、前記第２の無線リンクに関係付けられているＭＡＣレイヤにおいて記憶される請求項１記載の方法。
【請求項６】
前記ＭＡＣレイヤは、前記第１の無線リンクに関係付けられている請求項５記載の方法。
【請求項７】
前記複数のパケットの前記受信状態情報は、複数のビットを含むビットマップを含み、各ビットは、前記複数のパケット中のそれぞれのパケットの受信状態に関係付けられている請求項１記載の方法。
【請求項８】
前記決定は、期間内に、前記受信状態情報の受信の不在を検出することを含む請求項１記載の方法。
【請求項９】
前記決定は、前記受信状態情報が、しきい値を超える、前記複数のパケットの失敗した送信の数を示すのを検出することを含む請求項１記載の方法。
【請求項１０】
前記決定は、前記第２の無線リンクから前記受信状態情報を受信することを含む請求項１記載の方法。
【請求項１１】
前記追加のパケットのそれぞれは、前記複数のパケットのうちの、１つ以上のパケットを含む請求項１記載の方法。
【請求項１２】
前記受信状態情報の決定は、前記受信状態情報を含む送信状態情報メッセージを送信することを含み、前記追加のパケットの受信は、前記送信状態情報メッセージに起因して送信される前記追加のパケットに基づいて受信を継続することを含む請求項１記載の方法。
【請求項１３】
前記追加のパケットの受信は、前記第２の無線リンクを使用して、前記追加のパケットを受信することを含む請求項１記載の方法。
【請求項１４】
前記追加のパケットの受信は、規定されている期間、ＳＮＲ値、または、ＳＩＮＲ値、のうちの少なくとも１つに基づいている請求項１記載の方法。
【請求項１５】
前記追加のパケットの受信は、
レート適合プロセスを実行することと、
前記レート適合プロセスに基づいて、前記第２の無線リンクを使用して、前記装置から前記追加のパケットを受信することとを含む請求項１記載の方法。
【請求項１６】
前記第１の無線リンク中で受信されるパケットのブロックに対して、複数のＡＲＱ状態を維持することをさらに含み、前記パケットのブロック中のパケットのシーケンス番号は、前記第２の無線リンクにしたがう現在のＡＲＱ窓のサイズを超えている請求項１記載の方法。
【請求項１７】
前記第２の無線リンクは、ＡＲＱ窓のサイズおよびＡＲＱ状態を含み、
前記方法は、
前記第１の無線リンクを使用して、シーケンス番号が前記ＡＲＱ窓のサイズを超えている、パケットのブロックを受信することと、
前記第１の無線リンクにおける、前記パケットのブロックの確認された正しい受信に基づいて、前記ＡＲＱ状態を更新することとをさらに含む請求項１記載の方法。
【請求項１８】
前記更新されたＡＲＱ状態に基づいて、ドロップされて再送されたパケットを受信することをさらに含む請求項１７記載の方法。
【請求項１９】
前記第２の無線リンクを使用して、前記再送の任意の受信が実行される請求項１８記載の方法。
【請求項２０】
ワイヤレス通信のための装置において、
高速の無線リンクにおいてカプセル化された複数のパケットを装置から受信するように構成されている受信機と、
低速の無線リンク中で使用する、前記複数のパケットに対するインデックスを再構築し、前記複数のパケット中の各パケットが正しく受信されているかどうかを示す受信状態情報を決定するように構成されている処理システムとを具備し、
前記受信機は、前記インデックスと前記受信状態情報とに基づいて、追加のパケットを受信するようにさらに構成されている装置。
【請求項２１】
前記インデックスは、前記第１の無線リンクの送信サイズに基づいている請求項２０記載の装置。
【請求項２２】
前記処理システムは、単一の、第２の無線リンクフレームから前記複数のパケットを分解するようにさらに構成されている請求項２０記載の装置。
【請求項２３】
前記処理システムは、第２の無線リンクプロトコルにしたがって、前記複数のパケットをカプセル化するようにさらに構成されている請求項２０記載の装置。
【請求項２４】
前記複数のパケットの前記受信状態情報は、前記第１の無線リンクに関係付けられているＭＡＣレイヤにおいて記憶される請求項２０記載の装置。
【請求項２５】
前記ＭＡＣレイヤは、前記第２の無線リンクに関係付けられている請求項２４記載の装置。
【請求項２６】
前記複数のパケットの前記受信状態情報は、複数のビットを含むビットマップを含み、各ビットは、前記複数のパケット中のそれぞれのパケットの受信状態に関係付けられている請求項２０記載の装置。
【請求項２７】
前記処理システムは、期間内に、前記受信状態情報の受信の不在を検出するようにさらに構成されている請求項２０記載の装置。
【請求項２８】
前記処理システムは、前記受信状態情報が、しきい値を超える、前記複数のパケットの失敗した受信の数を示すのを検出するようにさらに構成されている請求項２０記載の装置。
【請求項２９】
前記受信機は、前記第１の無線リンクから前記受信状態情報を受信するようにさらに構成されている請求項２０記載の装置。
【請求項３０】
前記追加のパケットのそれぞれは、前記複数のパケットのうちの、１つ以上のパケットを含む請求項２０記載の装置。
【請求項３１】
前記受信状態情報を含む送信状態情報メッセージを送信するように構成されている送信機をさらに具備し、
前記受信機は、前記送信状態情報メッセージに起因して送信される前記追加のパケットに基づいて受信を継続するように構成されている請求項２０記載の装置。
【請求項３２】
前記受信機は、前記第１の無線リンクを使用して、前記追加のパケットを受信するようにさらに構成されている請求項２０記載の装置。
【請求項３３】
前記追加のパケットの受信は、期間、ＳＮＲ値およびＳＩＮＲ値のうちの少なくとも１つに基づいている請求項２０記載の装置。
【請求項３４】
前記処理システムは、レート適合プロセスを実行するようにさらに構成されており、前記受信機は、前記レート適合プロセスに基づいて、前記第１の無線リンクを使用して、前記他の装置から前記追加のパケットを受信するようにさらに構成されている請求項２０記載の装置。
【請求項３５】
前記処理システムは、前記第２の無線リンク中で受信されるパケットのブロックに対して、複数のＡＲＱ状態を維持するようにさらに構成されており、前記パケットのブロック中のパケットのシーケンス番号は、前記第１の無線リンクにしたがう現在のＡＲＱ窓のサイズを超えている請求項２０記載の装置。
【請求項３６】
前記第１の無線リンクは、ＡＲＱ窓のサイズおよびＡＲＱ状態を含み、
前記処理システムは、前記第２の無線リンクを使用して、シーケンス番号が前記ＡＲＱ窓のサイズを超えている、パケットのブロックを受信し、前記第２の無線リンクにおける、前記パケットのブロックの確認された正しい受信に基づいて、前記ＡＲＱ状態を更新するようにさらに構成されている請求項２０記載の装置。
【請求項３７】
前記受信機は、前記更新されたＡＲＱ状態に基づいて、ドロップされて再送されたパケットを受信するようにさらに構成されている請求項３６記載の装置。
【請求項３８】
前記第１の無線リンクを使用して、前記再送の任意の受信が実行される請求項３７記載の装置。
【請求項３９】
ワイヤレス通信のための装置において、
高速の無線リンクにおいてカプセル化された複数のパケットを別の装置から受信する手段と、
低速の無線リンク中で使用する、前記複数のパケットに対するインデックスを再構築する手段と、
前記複数のパケット中の各パケットが正しく受信されているかどうかを示す受信状態情報を決定する手段と、
前記インデックスと前記受信状態情報とに基づいて、追加のパケットを受信する手段とを具備する装置。
【請求項４０】
前記インデックスは、前記第１の無線リンクの送信サイズに基づいている請求項３９記載の装置。
【請求項４１】
前記第１の無線リンクを使用する前記複数のパケットの受信手段は、単一の、第１の無線リンクフレームから前記複数のパケットを分解する手段を備える請求項３９記載の装置。
【請求項４２】
前記第１の無線リンクを使用する前記複数のパケットの受信手段は、第１の無線リンクプロトコルにしたがって、前記複数のパケットのカプセル化を取り除く手段を備える請求項３９記載の装置。
【請求項４３】
前記複数のパケットの前記受信状態情報は、前記第２の無線リンクに関係付けられているＭＡＣレイヤにおいて記憶される請求項３９記載の装置。
【請求項４４】
前記ＭＡＣレイヤは、前記第１の無線リンクに関係付けられている請求項４３記載の装置。
【請求項４５】
前記複数のパケットの前記受信状態情報は、複数のビットを含むビットマップを含み、各ビットは、前記複数のパケット中のそれぞれのパケットの受信状態に関係付けられている請求項３９記載の装置。
【請求項４６】
前記決定手段は、期間内に、前記受信状態情報の受信の不在を検出する手段を備える請求項３９記載の装置。
【請求項４７】
前記決定手段は、前記受信状態情報が、しきい値を超える、前記複数のパケットの失敗した送信の数を示すのを検出する手段を備える請求項３９記載の装置。
【請求項４８】
前記決定手段は、前記第２の無線リンクから前記受信状態情報を受信する手段を備える請求項３９記載の装置。
【請求項４９】
前記追加のパケットのそれぞれは、前記複数のパケットのうちの、１つ以上のパケットを含む請求項３９記載の装置。
【請求項５０】
前記受信状態情報の決定手段は、前記受信状態情報を含む送信状態情報メッセージを送信する手段を備え、前記追加のパケットの受信手段は、前記送信状態情報メッセージに起因して送信される前記追加のパケットに基づいて受信を継続する手段を備える請求項３９記載の装置。
【請求項５１】
前記追加のパケットの受信手段は、前記第２の無線リンクを使用して、前記追加のパケットを受信する手段を備える請求項３９記載の装置。
【請求項５２】
前記追加のパケットの受信は、規定されている期間、ＳＮＲ値、または、ＳＩＮＲ値、のうちの少なくとも１つに基づいている請求項３９記載の装置。
【請求項５３】
前記追加のパケットの受信手段は、
レート適合プロセスを実行する手段と、
前記レート適合プロセスに基づいて、前記第２の無線リンクを使用して、前記装置から前記追加のパケットを受信する手段とを備える請求項３９記載の装置。
【請求項５４】
前記第１の無線リンク中で受信されるパケットのブロックに対して、複数のＡＲＱ状態を維持する手段をさらに具備し、前記パケットのブロック中のパケットのシーケンス番号は、前記第２の無線リンクにしたがう現在のＡＲＱ窓のサイズを超えている請求項３９記載の装置。
【請求項５５】
前記第２の無線リンクは、ＡＲＱ窓のサイズおよびＡＲＱ状態を含み、
前記装置は、
前記第１の無線リンクを使用して、シーケンス番号が前記ＡＲＱ窓のサイズを超えている、パケットのブロックを受信する手段と、
前記第１の無線リンクにおける、前記パケットのブロックの確認された正しい受信に基づいて、前記ＡＲＱ状態を更新する手段とをさらに具備する請求項３９記載の装置。
【請求項５６】
前記更新されたＡＲＱ状態に基づいて、ドロップされて再送されたパケットを受信する手段をさらに具備する請求項５５記載の装置。
【請求項５７】
前記第２の無線リンクを使用して、前記再送の任意の受信が実行される請求項５６記載の装置。
【請求項５８】
ワイヤレス通信のためのコンピュータプログラムプロダクトにおいて、
機械読み取り可能媒体を具備し、
前記機械読み取り可能媒体は、
高速の無線リンクにおいてカプセル化された複数のパケットを装置から受信するように実行可能な命令と、
低速の無線リンク中で使用する、前記複数のパケットに対するインデックスを再構築するように実行可能な命令と、
前記複数のパケット中の各パケットが正しく受信されているかどうかを示す受信状態情報を決定するように実行可能な命令と、
前記インデックスと前記受信状態情報とに基づいて、追加のパケットを受信するように実行可能な命令とを含むコンピュータプログラムプロダクト。
【請求項５９】
アクセスポイントにおいて、
１つ以上のアンテナと、
前記１つ以上のアンテナに結合され、高速の無線リンクにおいてカプセル化された複数のパケットを装置から受信するように構成されている受信機と、
低速の無線リンク中で使用する、前記複数のパケットに対するインデックスを再構築し、前記複数のパケット中の各パケットが正しく受信されているかどうかを示す受信状態情報を決定するように構成されている処理システムとを具備し、
前記受信機は、前記インデックスと前記受信状態情報とに基づいて、追加のパケットを受信するようにさらに構成されているアクセスポイント。
【手続補正２】
【補正対象書類名】明細書
【補正対象項目名】００６５
【補正方法】変更
【補正の内容】
【００６５】
先の説明は、当業者が本開示の完全な範囲を十分に理解することが可能になるように提供されている。ここで開示したさまざまなコンフィギュレーションに対する改良は、当業者に容易に明らかになるであろう。したがって、特許請求の範囲は、ここで説明した開示のさまざまな態様に限定されることを意図するものではなく、特許請求の範囲の文言と矛盾しない全範囲に一致させるべきである。ここで、エレメントへの単数形での参照は、そのように特に述べられていない限り、“１つおよび１つのみ”を意味することを意図しているのではなく、むしろ“１つ以上”を意味することを意図している。そうではないと特に述べられていない限り、“いくつかの”という用語は、１つ以上のことを指す。エレメントの組み合わせのうちの少なくとも１つ（例えば、Ａ、Ｂ、または、Ｃのうちの少なくとも１つ）を規定する請求項は、規定されているエレメントのうちの１つ以上（例えば、ＡまたはＢまたはＣ、あるいは、それらの何らかの組み合わせ）のことを指す。当業者に知られている、あるいは、当業者に後に知られることになる、本開示全体を通して説明したさまざまな態様のエレメントに対するすべての構造的および機能的な均等物は、参照によりここに明示的に組み込まれており、特許請求の範囲により含められることを意図している。さらに、ここで開示したものは、このような開示が特許請求の範囲中に明示的に規定されているか否かにかかわらず、公共に捧げられることを意図していない。どの請求項のエレメントも、エレメントが“ミーンズフォー”というフレーズを使用して明確に規定されない限り、または、方法の請求項のケースでは、エレメントが“ステップフォー”というフレーズを使用して規定されない限り、合衆国法典第３５部第１１２条第６パラグラフの条文の下で解釈すべきではない。
以下に、本願出願の当初の特許請求の範囲に記載された発明を付記する。
［１］ワイヤレス通信のための方法において、
第１の無線リンクを使用して、装置から複数のパケットを受信することと、
第２の無線リンク中で使用する、前記複数のパケットに対するインデックスを再構築することと、
前記複数のパケット中の各パケットが正しく受信されているかどうかを示す受信状態情報を決定することと、
前記インデックスと前記受信状態情報とに基づいて、追加のパケットを受信することとを含む方法。
［２］前記インデックスは、前記第１の無線リンクの送信サイズに基づいている上記［１］記載の方法。
［３］前記第１の無線リンクを使用する前記複数のパケットの受信は、単一の、第１の無線リンクフレームから前記複数のパケットを分解することを含む上記［１］記載の方法。
［４］前記第１の無線リンクを使用する前記複数のパケットの受信は、第１の無線リンクプロトコルにしたがって、前記複数のパケットのカプセル化を取り除くことを含む上記［１］記載の方法。
［５］前記複数のパケットの前記受信状態情報は、前記第２の無線リンクに関係付けられているＭＡＣレイヤにおいて記憶される上記［１］記載の方法。
［６］前記ＭＡＣレイヤは、前記第１の無線リンクに関係付けられている上記［５］記載の方法。
［７］前記複数のパケットの前記受信状態情報は、複数のビットを含むビットマップを含み、各ビットは、前記複数のパケット中のそれぞれのパケットの受信状態に関係付けられている上記［１］記載の方法。
［８］前記決定は、期間内に、前記受信状態情報の受信の不在を検出することを含む上記［１］記載の方法。
［９］前記決定は、前記受信状態情報が、しきい値を超える、前記複数のパケットの失敗した送信の数を示すのを検出することを含む上記［１］記載の方法。
［１０］前記決定は、前記第２の無線リンクから前記受信状態情報を受信することを含む上記［１］記載の方法。
［１１］前記追加のパケットのそれぞれは、前記複数のパケットのうちの、１つ以上のパケットを含む上記［１］記載の方法。
［１２］前記受信状態情報の決定は、前記受信状態情報を含む送信状態情報メッセージを送信することを含み、前記追加のパケットの受信は、前記送信状態情報メッセージに起因して送信される前記追加のパケットに基づいて受信を継続することを含む上記［１］記載の方法。
［１３］前記追加のパケットの受信は、前記第２の無線リンクを使用して、前記追加のパケットを受信することを含む上記［１］記載の方法。
［１４］前記追加のパケットの受信は、規定されている期間、ＳＮＲ値、または、ＳＩＮＲ値、のうちの少なくとも１つに基づいている上記［１］記載の方法。
［１５］前記追加のパケットの受信は、
レート適合プロセスを実行することと、
前記レート適合プロセスに基づいて、前記第２の無線リンクを使用して、前記装置から前記追加のパケットを受信することとを含む上記［１］記載の方法。
［１６］前記第１の無線リンク中で受信されるパケットのブロックに対して、複数のＡＲＱ状態を維持することをさらに含み、前記パケットのブロック中のパケットの総数は、前記第２の無線リンクにしたがう現在のＡＲＱ窓のサイズを超える上記［１］記載の方法。
［１７］前記第２の無線リンクは、ＡＲＱ窓のサイズおよびＡＲＱ状態を含み、
前記方法は、
前記第１の無線リンクを使用して、パケットの総数が前記ＡＲＱ窓のサイズを超える、パケットのブロックを受信することと、
前記第１の無線リンクにおける、前記パケットのブロックの確認された正しい受信に基づいて、前記ＡＲＱ状態を更新することとをさらに含む上記［１］記載の方法。
［１８］前記更新されたＡＲＱ状態に基づいて、ドロップされて再送されたパケットを受信することをさらに含む上記［１７］記載の方法。
［１９］前記第２の無線リンクを使用して、前記再送の任意の受信が実行される上記［１８］記載の方法。
［２０］ワイヤレス通信のための装置において、
第１の無線リンクを使用して、装置から複数のパケットを受信するように構成されている受信機と、
第２の無線リンク中で使用する、前記複数のパケットに対するインデックスを再構築し、前記複数のパケット中の各パケットが正しく受信されているかどうかを示す受信状態情報を決定するように構成されている処理システムとを具備し、
前記受信機は、前記インデックスと前記受信状態情報とに基づいて、追加のパケットを受信するようにさらに構成されている装置。
［２１］前記インデックスは、前記第１の無線リンクの送信サイズに基づいている上記［２０］記載の装置。
［２２］前記処理システムは、単一の、第２の無線リンクフレームから前記複数のパケットを分解するようにさらに構成されている上記［２０］記載の装置。
［２３］前記処理システムは、第２の無線リンクプロトコルにしたがって、前記複数のパケットをカプセル化するようにさらに構成されている上記［２０］記載の装置。
［２４］前記複数のパケットの前記受信状態情報は、前記第１の無線リンクに関係付けられているＭＡＣレイヤにおいて記憶される上記［２０］記載の装置。
［２５］前記ＭＡＣレイヤは、前記第２の無線リンクに関係付けられている上記［２４］記載の装置。
［２６］前記複数のパケットの前記受信状態情報は、複数のビットを含むビットマップを含み、各ビットは、前記複数のパケット中のそれぞれのパケットの受信状態に関係付けられている上記［２０］記載の装置。
［２７］前記処理システムは、期間内に、前記受信状態情報の受信の不在を検出するようにさらに構成されている上記［２０］記載の装置。
［２８］前記処理システムは、前記受信状態情報が、しきい値を超える、前記複数のパケットの失敗した受信の数を示すのを検出するようにさらに構成されている上記［２０］記載の装置。
［２９］前記受信機は、前記第１の無線リンクから前記受信状態情報を受信するようにさらに構成されている上記［２０］記載の装置。
［３０］前記追加のパケットのそれぞれは、前記複数のパケットのうちの、１つ以上のパケットを含む上記［２０］記載の装置。
［３１］前記受信状態情報を含む送信状態情報メッセージを送信するように構成されている送信機をさらに具備し、
前記受信機は、前記送信状態情報メッセージに起因して送信される前記追加のパケットに基づいて受信を継続するように構成されている上記［２０］記載の装置。
［３２］前記受信機は、前記第１の無線リンクを使用して、前記追加のパケットを受信するようにさらに構成されている上記［２０］記載の装置。
［３３］前記追加のパケットの受信は、期間、ＳＮＲ値およびＳＩＮＲ値のうちの少なくとも１つに基づいている上記［２０］記載の装置。
［３４］前記処理システムは、レート適合プロセスを実行するようにさらに構成されており、前記受信機は、前記レート適合プロセスに基づいて、前記第１の無線リンクを使用して、前記他の装置から前記追加のパケットを受信するようにさらに構成されている上記［２０］記載の装置。
［３５］前記処理システムは、前記第２の無線リンク中で受信されるパケットのブロックに対して、複数のＡＲＱ状態を維持するようにさらに構成されており、前記パケットのブロック中のパケットの総数は、前記第１の無線リンクにしたがう現在のＡＲＱ窓のサイズを超える上記［２０］記載の装置。
［３６］前記第１の無線リンクは、ＡＲＱ窓のサイズおよびＡＲＱ状態を含み、
前記処理システムは、前記第２の無線リンクを使用して、パケットの総数が前記ＡＲＱ窓のサイズを超える、パケットのブロックを受信し、前記第２の無線リンクにおける、前記パケットのブロックの確認された正しい受信に基づいて、前記ＡＲＱ状態を更新するようにさらに構成されている上記［２０］記載の装置。
［３７］前記受信機は、前記更新されたＡＲＱ状態に基づいて、ドロップされて再送されたパケットを受信するようにさらに構成されている上記［３６］記載の装置。
［３８］前記第１の無線リンクを使用して、前記再送の任意の受信が実行される上記［３７］記載の装置。
［３９］ワイヤレス通信のための装置において、
第１の無線リンクを使用して、別の装置から複数のパケットを受信する手段と、
第２の無線リンク中で使用する、前記複数のパケットに対するインデックスを再構築する手段と、
前記複数のパケット中の各パケットが正しく受信されているかどうかを示す受信状態情報を決定する手段と、
前記インデックスと前記受信状態情報とに基づいて、追加のパケットを受信する手段とを具備する装置。
［４０］前記インデックスは、前記第１の無線リンクの送信サイズに基づいている上記［３９］記載の装置。
［４１］前記第１の無線リンクを使用する前記複数のパケットの受信手段は、単一の、第１の無線リンクフレームから前記複数のパケットを分解する手段を備える上記［３９］記載の装置。
［４２］前記第１の無線リンクを使用する前記複数のパケットの受信手段は、第１の無線リンクプロトコルにしたがって、前記複数のパケットのカプセル化を取り除く手段を備える上記［３９］記載の装置。
［４３］前記複数のパケットの前記受信状態情報は、前記第２の無線リンクに関係付けられているＭＡＣレイヤにおいて記憶される上記［３９］記載の装置。
［４４］前記ＭＡＣレイヤは、前記第１の無線リンクに関係付けられている上記［４３］記載の装置。
［４５］前記複数のパケットの前記受信状態情報は、複数のビットを含むビットマップを含み、各ビットは、前記複数のパケット中のそれぞれのパケットの受信状態に関係付けられている上記［３９］記載の装置。
［４６］前記決定手段は、期間内に、前記受信状態情報の受信の不在を検出する手段を備える上記［３９］記載の装置。
［４７］前記決定手段は、前記受信状態情報が、しきい値を超える、前記複数のパケットの失敗した送信の数を示すのを検出する手段を備える上記［３９］記載の装置。
［４８］前記決定手段は、前記第２の無線リンクから前記受信状態情報を受信する手段を備える上記［３９］記載の装置。
［４９］前記追加のパケットのそれぞれは、前記複数のパケットのうちの、１つ以上のパケットを含む上記［３９］記載の装置。
［５０］前記受信状態情報の決定手段は、前記受信状態情報を含む送信状態情報メッセージを送信する手段を備え、前記追加のパケットの受信手段は、前記送信状態情報メッセージに起因して送信される前記追加のパケットに基づいて受信を継続する手段を備える上記［３９］記載の装置。
［５１］前記追加のパケットの受信手段は、前記第２の無線リンクを使用して、前記追加のパケットを受信する手段を備える上記［３９］記載の装置。
［５２］前記追加のパケットの受信は、規定されている期間、ＳＮＲ値、または、ＳＩＮＲ値、のうちの少なくとも１つに基づいている上記［３９］記載の装置。
［５３］前記追加のパケットの受信手段は、
レート適合プロセスを実行する手段と、
前記レート適合プロセスに基づいて、前記第２の無線リンクを使用して、前記装置から前記追加のパケットを受信する手段とを備える上記［３９］記載の装置。
［５４］前記第１の無線リンク中で受信されるパケットのブロックに対して、複数のＡＲＱ状態を維持する手段をさらに具備し、前記パケットのブロック中のパケットの総数は、前記第２の無線リンクにしたがう現在のＡＲＱ窓のサイズを超える上記［３９］記載の装置。
［５５］前記第２の無線リンクは、ＡＲＱ窓のサイズおよびＡＲＱ状態を含み、
前記装置は、
前記第１の無線リンクを使用して、パケットの総数が前記ＡＲＱ窓のサイズを超える、パケットのブロックを受信する手段と、
前記第１の無線リンクにおける、前記パケットのブロックの確認された正しい受信に基づいて、前記ＡＲＱ状態を更新する手段とをさらに具備する上記［３９］記載の装置。
［５６］前記更新されたＡＲＱ状態に基づいて、ドロップされて再送されたパケットを受信する手段をさらに具備する上記［５５］記載の装置。
［５７］前記第２の無線リンクを使用して、前記再送の任意の受信が実行される上記［５６］記載の装置。
［５８］ワイヤレス通信のためのコンピュータプログラムプロダクトにおいて、
機械読み取り可能媒体を具備し、
前記機械読み取り可能媒体は、
第１の無線リンクを使用して、装置から複数のパケットを受信するように実行可能な命令と、
第２の無線リンク中で使用する、前記複数のパケットに対するインデックスを再構築するように実行可能な命令と、
前記複数のパケット中の各パケットが正しく受信されているかどうかを示す受信状態情報を決定するように実行可能な命令と、
前記インデックスと前記受信状態情報とに基づいて、追加のパケットを受信するように実行可能な命令とを含むコンピュータプログラムプロダクト。
［５９］アクセスポイントにおいて、
１つ以上のアンテナと、
前記１つ以上のアンテナに結合され、第１の無線リンクを使用して、装置から複数のパケットを受信するように構成されている受信機と、
第２の無線リンク中で使用する、前記複数のパケットに対するインデックスを再構築し、前記複数のパケット中の各パケットが正しく受信されているかどうかを示す受信状態情報を決定するように構成されている処理システムとを具備し、
前記受信機は、前記インデックスと前記受信状態情報とに基づいて、追加のパケットを受信するようにさらに構成されているアクセスポイント。
【国際調査報告】
2013511923.tif 000012
2013511923.tif 000013
2013511923.tif 000014
2013511923.tif 000015
2013511923.tif 000016